(57)【要約】【課題】凝縮器フィルタの目詰まりに起因する故障の発生を未然に防止し、緊急のメンテナンス要請をできるだけ回避することができるショーケースの管理システムを提供する。【解決手段】管理システム１は、本体１６内に凝縮器１２と、凝縮器フィルタ２３を備えたショーケース３を管理するものであって、凝縮器フィルタの清掃実施の有無を検出可能なプッシュスイッチ２６と、端末側制御装置４を備え、端末側制御装置は、プッシュスイッチの出力に基づき、一定期間凝縮器フィルタの清掃が実施されていないと判断した場合、所定の通報動作を実行する。【選択図】図１
2018091591.tif 000002
【特許請求の範囲】
【請求項１】
本体内に凝縮器と、凝縮器フィルタを備えたショーケースの管理システムであって、
前記凝縮器フィルタの清掃実施の有無を検出可能な検出器と、
制御装置を備え、
該制御装置は、前記検出器の出力に基づき、一定期間前記凝縮器フィルタの清掃が実施されていないと判断した場合、所定の通報動作を実行することを特徴とするショーケースの管理システム。
【請求項２】
前記ショーケースは、前記本体に設けられて前記凝縮器フィルタの清掃時に操作される部材を有し、
前記検出器は、前記部材の操作の有無を検出することを特徴とする請求項１に記載のショーケースの管理システム。
【請求項３】
前記ショーケースは、前記本体下部に構成されて前記凝縮器及び凝縮器フィルタが設置された機械室と、前記本体に設けられて前記凝縮器フィルタの清掃時に開閉されるキックプレートを有し、
前記検出器は、前記キックプレートの開閉を検出する機械式スイッチから構成されることを特徴とする請求項１に記載のショーケースの管理システム。
【請求項４】
前記制御装置は、前記検出器の出力に基づいて前記凝縮器フィルタの清掃が実施されたものと判断した後、前記凝縮器自体の清掃の必要性を判断すると共に、
当該凝縮器自体の清掃が必要と判断した場合、所定の通報動作を実行することを特徴とする請求項１乃至請求項３のうちの何れかに記載のショーケースの管理システム。
【請求項５】
前記制御装置は、前記凝縮器フィルタの清掃後の前記凝縮器の温度に基づき、当該凝縮器自体の清掃の必要性を判断することを特徴とする請求項４に記載のショーケースの管理システム。
【請求項６】
前記制御装置は、所定の長期間前記凝縮器の温度を監視し、当該期間中における前記凝縮器の温度変化の状況に基づき、当該凝縮器の目詰まり故障発生時期を予測し、所定の通報動作を実行することを特徴とする請求項１乃至請求項５のうちの何れかに記載のショーケースの管理システム。
【請求項７】
前記制御装置は、前記ショーケースに設けられた端末側制御装置であり、
該端末側制御装置との間でデータを送受信可能とされた上位制御装置を更に備え、前記端末側制御装置が前記上位制御装置に対して前記通報動作を実行することを特徴とする請求項１乃至請求項６のうちの何れかに記載のショーケースの管理システム。
【請求項８】
前記ショーケースに設けられた端末側制御装置と、該端末側制御装置との間でデータを送受信可能とされた上位制御装置を備え、
前記制御装置は、前記上位制御装置であり、
前記端末側制御装置が前記検出器の出力に関するデータ、又は、当該検出器の出力と前記凝縮器の温度に関するデータを前記上位制御装置に送信し、該上位制御装置が前記通報動作を実行することを特徴とする請求項１乃至請求項６のうちの何れかに記載のショーケースの管理システム。
【発明の詳細な説明】
【技術分野】
【０００１】
本発明は、凝縮器と凝縮器フィルタを備えたショーケースを管理するためのシステムに関するものである。
【背景技術】
【０００２】
コンビニエンスストアやスーパーマーケット等の店舗には、複数台のショーケースが設置され、各ショーケースにおいて商品を冷却しながら陳列販売を行っている。この場合、各ショーケースには圧縮機、凝縮器、減圧装置及び冷却器等からなる冷媒回路が設けられ、圧縮機から吐出された冷媒を凝縮器にて凝縮させ、減圧装置にて減圧した後、冷却器で蒸発させることで陳列室内を冷却しているが、凝縮器には冷媒を凝縮させるために外気が通風されるため、外気中の塵埃により目詰まりが発生する。凝縮器が目詰まりすると、冷媒と外気との熱交換が悪くなり、消費電力が増大すると共に、そのまま放置すれば冷却性能が悪化して商品が劣化してしまう。
【０００３】
そのために凝縮器には、外気中の塵埃を捕獲するための凝縮器フィルタが設けられているが、この凝縮器フィルタも目詰まりすれば同様の問題が生じるため、清掃する必要である。そこで、従来では例えば一週間に一回凝縮器フィルタの清掃を促す表示板をショーケースに貼り付けたり、期日やタイマで積算した時間でフィルターサイン（ブザー等）を出力して、使用者（店舗の従業員等）に凝縮器フィルタの清掃を促していた（例えば、特許文献１参照）。
【先行技術文献】
【特許文献】
【０００４】
【特許文献１】特開２００６−９０６８０号公報
【発明の概要】
【発明が解決しようとする課題】
【０００５】
しかしながら、凝縮器フィルタの清掃等のショーケースの管理の状況は店舗によって大きく異なり、上記の如き表示板やサインを出力しても実際には凝縮器フィルタの清掃が行われないケースもある。また、凝縮器フィルタの清掃が行われたとしても、凝縮器フィルタで捕獲できなかった塵埃が長期間の運転で凝縮器に蓄積し、当該凝縮器自体が目詰まりしてしまう場合もある。そのような場合、結果としてショーケースが重篤な故障に至り、コールセンターやメンテナンスセンターに緊急のメンテナンス要請（電話）が入ってサービスマンが駆けつけるという状況であった。
【０００６】
本発明は、係る従来の技術的課題を解決するために成されたものであり、凝縮器フィルタの目詰まりに起因する故障の発生を未然に防止し、緊急のメンテナンス要請をできるだけ回避することができるショーケースの管理システムを提供することを目的とする。
【課題を解決するための手段】
【０００７】
本発明の管理システムは、本体内に凝縮器と、凝縮器フィルタを備えたショーケースを管理するものであって、凝縮器フィルタの清掃実施の有無を検出可能な検出器と、制御装置を備え、この制御装置は、検出器の出力に基づき、一定期間凝縮器フィルタの清掃が実施されていないと判断した場合、所定の通報動作を実行することを特徴とする。
【０００８】
請求項２の発明のショーケースの管理システムは、上記発明においてショーケースは、本体に設けられて凝縮器フィルタの清掃時に操作される部材を有し、検出器は、前記部材の操作の有無を検出することを特徴とする。
【０００９】
請求項３の発明のショーケースの管理システムは、請求項１の発明においてショーケースは、本体下部に構成されて凝縮器及び凝縮器フィルタが設置された機械室と、本体に設けられて凝縮器フィルタの清掃時に開閉されるキックプレートを有し、検出器は、キックプレートの開閉を検出する機械式スイッチから構成されることを特徴とする。
【００１０】
請求項４の発明のショーケースの管理システムは、上記各発明において制御装置は、検出器の出力に基づいて凝縮器フィルタの清掃が実施されたものと判断した後、凝縮器自体の清掃の必要性を判断すると共に、当該凝縮器自体の清掃が必要と判断した場合、所定の通報動作を実行することを特徴とする。
【００１１】
請求項５の発明のショーケースの管理システムは、上記発明において制御装置は、凝縮器フィルタの清掃後の凝縮器の温度に基づき、当該凝縮器自体の清掃の必要性を判断することを特徴とする。
【００１２】
請求項６の発明のショーケースの管理システムは、上記各発明において制御装置は、所定の長期間凝縮器の温度を監視し、当該期間中における凝縮器の温度変化の状況に基づき、当該凝縮器の目詰まり故障発生時期を予測し、所定の通報動作を実行することを特徴とする。
【００１３】
請求項７の発明のショーケースの管理システムは、上記各発明において制御装置は、ショーケースに設けられた端末側制御装置であり、この端末側制御装置との間でデータを送受信可能とされた上位制御装置を更に備え、端末側制御装置が上位制御装置に対して通報動作を実行することを特徴とする。
【００１４】
請求項８の発明のショーケースの管理システムは、請求項１乃至請求項６の発明においてショーケースに設けられた端末側制御装置と、この端末側制御装置との間でデータを送受信可能とされた上位制御装置を備え、制御装置は、上位制御装置であり、端末側制御装置が検出器の出力に関するデータ、又は、当該検出器の出力と凝縮器の温度に関するデータを上位制御装置に送信し、この上位制御装置が通報動作を実行することを特徴とする。
【発明の効果】
【００１５】
本発明によれば、本体内に凝縮器と、凝縮器フィルタを備えたショーケースの管理システムにおいて、凝縮器フィルタの清掃実施の有無を検出可能な検出器と、制御装置を備え、この制御装置が、検出器の出力に基づき、一定期間凝縮器フィルタの清掃が実施されていないと判断した場合、所定の通報動作を実行するようにしたので、一定期間凝縮器フィルタの清掃が行われなかったときには、通報により清掃を行わせてショーケースが重篤な故障に至る不都合を未然に回避することができるようになり、信頼性の向上を図ることができるようになる。また、緊急のメンテナンスコールも解消若しくは低減することができるようになるので、メンテナンスコストの削減も図ることが可能となる。
【００１６】
更に、凝縮器フィルタが目詰まりした状態での運転継続を回避することができるようになるので、冷却性能の悪化と消費電力の増加を未然に回避し、商品が劣化する不都合も防止して良好な商品陳列販売を実現することができるようになる。
【００１７】
この場合、請求項２の発明の如くショーケースが、本体に設けられて凝縮器フィルタの清掃時に操作される部材を有し、検出器が、この部材の操作の有無を検出するようにすれば、凝縮器フィルタの清掃実施の有無を円滑に検出することができるようになる。
【００１８】
特に、請求項３の発明の如くショーケースが、本体下部に構成されて凝縮器及び凝縮器フィルタが設置された機械室と、本体に設けられて凝縮器フィルタの清掃時に開閉されるキックプレートを有しているとき、検出器をキックプレートの開閉を検出する機械式スイッチから構成することで、比較的簡単な構成にて確実に凝縮器フィルタの清掃実施の有無を検出することができるようになる。
【００１９】
そして、請求項４の発明の如く制御装置が、検出器の出力に基づいて凝縮器フィルタの清掃が実施されたものと判断した後、凝縮器自体の清掃の必要性を判断すると共に、当該凝縮器自体の清掃が必要と判断した場合、所定の通報動作を実行するようにすれば、凝縮器フィルタの清掃では解決できない凝縮器自体の汚れによる目詰まりについても的確に通報し、ショーケースが重篤な故障に至る不都合を未然に回避することができるようになる。
【００２０】
この場合、請求項５の発明の如く制御装置が、凝縮器フィルタの清掃後の凝縮器の温度に基づいて当該凝縮器自体の清掃の必要性を判断するようにすれば、凝縮器自体の汚れによる目詰まりを的確に判断して通報することが可能となる。
【００２１】
更に、請求項６の発明の如く制御装置が、所定の長期間凝縮器の温度を監視し、当該期間中における凝縮器の温度変化の状況に基づき、当該凝縮器の目詰まり故障発生時期を予測して所定の通報動作を実行するようにすれば、ショーケースが重篤な故障に至る前に、凝縮器自体が汚れにより目詰まりする時期を予測して、例えば、サービスマンによる定期的なメンテナンスの際等に適切に対処させることが可能となる。
【００２２】
上記の如き通報動作は請求項７の発明の如くショーケースに設けられた端末側制御装置で判断して上位制御装置に対し、通報動作を実行するものでも良く、請求項８の発明の如く端末側制御装置から検出器の出力や凝縮器の温度に関するデータを上位制御装置に送信して上位制御装置で判断し、通報動作を実行するようにしても良い。
【図面の簡単な説明】
【００２３】
【図１】本発明を適用した一実施例のショーケースの管理システムのブロック図である。
【図２】図１のショーケースの一実施例の斜視図である。
【図３】図２のショーケースのキックプレートを開いた状態の拡大斜視図である。
【図４】図３の要部拡大図である。
【図５】図１のショーケースのキックプレートを開いた状態の機械室内の要部平面図である。
【図６】図１の管理システムを構成する端末側制御装置の動作を説明するフローチャートである。
【図７】図６の端末側制御装置の動作を説明するための凝縮器の温度ゾーンを説明する図である。
【発明を実施するための形態】
【００２４】
（１）ショーケースの管理システム１の構成
以下、本発明の一実施形態について、図面に基づいて詳細に説明する。図１において、本発明を適用した実施例のショーケースの管理システム１は、例えばコンビニエンスストアの店舗２内に設置された複数台のショーケース３を管理するシステムであり、各ショーケース３に設けられた端末側制御装置４と、店舗２に設置された上位制御装置としての集中コントローラ６と、店舗外のコールセンターに設置された上位制御装置としてのコールセンターパソコン７と、メンテナンス会社に設置された上位制御装置としてのメンテナンス会社パソコン８等から構築される。
【００２５】
各ショーケース３は、圧縮機１１、凝縮器１２、減圧装置（膨張弁等）１３と冷却器１４等を順次環状に接続した周知の冷媒回路Ｒを備えており、端末側制御装置４はこれらの運転を制御する。また、端末側制御装置４は通信線９により集中コントローラ６とデータを送受信可能に接続されており、集中コントローラ６は、各ショーケース３の端末側制御装置４から運転状況に関するデータを受信し、集中コントローラ６からは各ショーケース３の端末側制御装置４に対して設定データ等を送信することで、店舗２に設置された複数台のショーケース３を集中して管理することができるように構成されている。
【００２６】
また、集中コントローラ６はネットワークを介してコールセンターパソコン７及びメンテナンス会社パソコン８とデータを送受信可能に接続されており、コールセンターパソコン７とメンテナンス会社パソコン８も相互にデータの送受信を可能にネットワークにて接続されている。コールセンターパソコン７とメンテナンス会社パソコン８には、集中コントローラ６が収集した各端末側制御装置４からのデータが送信され、コールセンターパソコン７やメンテナンス会社パソコン８からも集中コントローラ６に設定データ等を送信できるように構成されている。また、メンテナンス会社パソコン８とコールセンターパソコン７との間でも各種データの送受信が行えるように構成されている。そして、上記端末側制御装置４、集中コントローラ６、コールセンターパソコン７及びメンテナンス会社パソコン８の何れもが本発明における制御装置として機能することが可能とされている。
【００２７】
（２）ショーケース３の構成
次に、図２〜図５を参照して実施例のショーケース３の構造を説明する。実施例のショーケース３はアイスクリーム等の商品を陳列販売するための所謂平型のオープンショーケースであり、その本体１６は、上面が開口する断熱箱体１７から構成されている。そして、この断熱箱体１７内に商品を収納して陳列する陳列室１８が構成され、断熱箱体１７の下側の本体１６下部には機械室１９が構成されている。この機械室１９内に前述した圧縮機１１、凝縮器１２、及び、凝縮器用送風機１５等が設置され、冷却器１４により陳列室１８内が所定の温度（冷凍温度）に冷却されるように構成されている。
【００２８】
この場合、凝縮器１２は機械室１９の一側に配置されており、この凝縮器１２に対応する機械室１９の側面には、本発明で凝縮器フィルタの清掃時に操作される部材としてのキックプレート２１が開閉自在に取り付けられている。このキックプレート２１には外気を吸い込むための吸込口（スリット）２２が形成されており、凝縮器１２のキックプレート２１側には、凝縮器フィルタ２３が着脱可能に取り付けられている。そして、凝縮器用送風機１５が運転されると、吸込口２２から外気が吸引され、凝縮器フィルタ２３を介して凝縮器１２に通風されるように構成されている。
【００２９】
尚、２４はキックプレート２１を閉じた状態に保持するためのマグネットキャッチャである。また、２６は本体１６に取り付けられた検出器としての機械式のプッシュスイッチであり、キックプレート２１の開閉によって接点が開閉され、当該キックプレート２１の開閉を検出する。更に、２７は凝縮器１２の冷媒出口側の配管に取り付けられた凝縮器温度センサであり、凝縮器１２の温度を検出するために設けられている。そして、プッシュスイッチ２６や凝縮器温度センサ２７は端末側制御装置４に接続され、それらの出力が端末側制御装置４に入力されるように構成されている。
【００３０】
（３）端末側制御装置４による凝縮器フィルタ２３の清掃実施の有無判断
次に、図６、図７を参照しながら、端末側制御装置４による凝縮器フィルタ２３の清掃実施の有無判断とそれに関連する動作について説明する。上述した如く凝縮器１２には外気が通風されるが、この外気中の塵埃は凝縮器フィルタ２３で捕獲される。従って、ショーケース３が運転されることで凝縮器フィルタ２３には塵埃（汚れ）が蓄積し、目詰まりするようになる。凝縮器フィルタ２３が目詰まりし、凝縮器１２の通風性能が低下すると、冷媒回路Ｒの冷却能力が低下し、陳列室１８の温度が上昇してしまうことになる。
【００３１】
そこで、凝縮器フィルタ２３は従業員により、例えば一週間に一回等、定期的に清掃される。凝縮器フィルタ２３を清掃する際には、先ずキックプレート２１を開く。このキックプレート２１が開放されると、プッシュスイッチ２６の接点が例えば開くので、それによる出力の変化により、端末側制御装置４はキックプレート２１が開放されたことを検出することができる。このようにキックプレート２１を開いた後、凝縮器フィルタ２３を機械室１９から取り出して清掃を行う。清掃された後、凝縮器フィルタ２３は再び機械室１９内に取り付けられ、キックプレート２１は閉じられる。これにより、プッシュスイッチ２６は接点を閉じるので、それによる出力の変化で端末側制御装置４はキックプレート２１が閉じられたことを検出することができる。
【００３２】
しかしながら、凝縮器フィルタ２３の清掃を忘れてしまった場合、ショーケース３が重篤な故障に至る危険性がある。そこで、この実施例では端末側制御装置４は、凝縮器温度センサ２７が検出する凝縮器１２の温度を常時監視しており、図６のステップＳ１でこの凝縮器１２の温度が正常の範囲にあるか否か判断している。
【００３３】
そして、正常の範囲より高い異常の範囲にあるときは、ステップＳ１６に進んで集中コントローラ６に警報データを送信する（警報発報）する。この警報発報を受けて集中コントローラ６では所定の警報出力（表示やブザー等）が行われると共に、コールセンターパソコン７にも警報データが送信される。コールセンターパソコン７からはメンテナンス会社パソコン８に警報データが転送され、メンテナンス会社から店舗２にサービスマンが駆けつけることになる。
【００３４】
他方、ステップＳ１で凝縮器１２の温度が正常の範囲にあるときは、ステップＳ２で警報発報をリセットし、次にステップＳ３でフィルタ清掃実施済フラグがセットされているか否か判断する。ステップＳ３でフィルタ清掃実施済フラグがリセットされている場合、端末側制御装置４はステップＳ３からステップＳ９に進み、プッシュスイッチ２６の接点の開閉を検出したか否か判断する。この場合の接点の開閉検出は、所定時間接点が開放された後、閉じられた場合に開閉検出と判断する。尚、この所定時間とは凝縮器フィルタ２３の清掃に要する時間とする（この発明において凝縮器フィルタ２３の清掃とは、新しい凝縮器フィルタ２３と交換するだけの場合も含むものとする）。
【００３５】
今、係るプッシュスイッチ２６の開閉を検出できない場合、端末側制御装置４はステップＳ９からステップＳ１２に進み、一定期間Ａ（例えば二週間等）が経過したか否か判断し、経過していなければステップＳ１に戻り、以後これを繰り返す。前述した如く店舗２では凝縮器フィルタ２３を一週間に一回定期的に清掃するように従業員は訓練されているので、これが守られればキックプレート２１が開閉されてプッシュスイッチ２６の接点も開閉されるので、端末側制御装置４はステップＳ９からステップＳ１０に進み、フィルタ清掃実施済フラグをセットして、ステップＳ１１で後述するステップＳ４の一定期間Ｂ（後述する二時間）をリセットする。
【００３６】
しかしながら、係る凝縮器フィルタ２３の定期的な清掃が忘れられ、前回の清掃（後述するステップＳ１９での一定期間Ａのリセット）から二週間が経過してしまった場合、端末側制御装置４はステップＳ１２からステップＳ１３に進み、同様にステップＳ１２の一定期間Ａ（二週間）をリセットすると共に、ステップＳ１４でコールセンターパソコンへの通報動作を実行する。この場合の通報動作は、凝縮器フィルタ２３の定期的な清掃が行われていない旨のデータが先ず集中コントローラ６に送信され、集中コントローラ６がコールセンターパソコン７に当該データを転送するかたちで実行される。
【００３７】
コールセンターでは係る通報を受けて該当店舗（お店）に電話を行い（通報）、当該ショーケース３の凝縮器フィルタ２３の清掃を督促する（ステップＳ１５）。これにより、凝縮器フィルタ２３の清掃が忘れられてしまう不都合を回避する。尚、係る電話によらず、店舗２に設置されたパソコンや集中コントローラ６に、コールセンターパソコン７から自動的にメール等で通報を行う方式でもよい。
【００３８】
一方、凝縮器フィルタ２３の清掃が実施され、ステップＳ１０でフィルタ清掃実施済フラグがセットされた場合、端末側制御装置４はステップＳ３からステップＳ４に進み、今度は二時間等の一定期間Ｂが経過したか否か判断する。そして、凝縮器フィルタ２３の清掃後、一定期間Ｂ（二時間）が経過した場合、端末側制御装置４はステップＳ４からステップＳ５に進んで、凝縮器温度センサ２７が検出する凝縮器１２の温度が特定の範囲内にあるか否か判断する。
【００３９】
この特定の範囲は、図７にＸ１で示されている。この図７には前述した正常の範囲と以上の範囲も示されているが、特定の範囲Ｘ１とは、凝縮器１２の温度が正常の範囲ではあるものの、通常の範囲よりは高いゾーンを意味している。そして、ステップＳ５で凝縮器１２の温度がこの特定の範囲内にある場合、端末側制御装置４はステップＳ６に進んで凝縮器１２自体が汚れていると判断する。
【００４０】
即ち、凝縮器フィルタ２３の清掃が行われたにも拘わらず、その後の凝縮器１２の温度が高め（正常ではあるものの通常よりは高いこと）であるときは、凝縮器１２自体が塵埃によって汚れているものと判断し、ステップＳ７に進んでコールセンターパソコンへの通報動作を実行する。この場合の通報動作も前述と同様であり、凝縮器フィルタ２３自体が汚れている旨のデータが先ず集中コントローラ６に送信され、集中コントローラ６がコールセンターパソコン７に当該データを転送するかたちで実行される。
【００４１】
コールセンターでは係る通報を受けてメンテナンス会社に電話を行い（通報）、当該店舗２のショーケース３の凝縮器１２の清掃を指示する（ステップＳ８）。これにより、メンテナンス会社からはサービスマンが当該店舗２に向かい、凝縮器１２自体を清掃するメンテナンスを行うので、ショーケース３が重篤な故障に至ることを未然に回避することができるようになる。尚、係る電話によらず、メンテナンス会社パソコン８にコールセンターパソコン７から自動的にメール等で通報を行う方式でもよい。
【００４２】
他方、ステップＳ５で凝縮器１２の温度が特定の範囲Ｘ１内では無い場合には、端末側制御装置４はステップＳ１７に進んで凝縮器フィルタ２３の清掃は成功と判断し、次にステップＳ１８でフィルタ清掃実施済フラグをリセットする。次に、ステップＳ１９でステップＳ１２の一定期間Ａ（二週間）をリセットする。
【００４３】
次に、端末側制御装置４はステップＳ２０で一定期間Ｃ（例えば三ヶ月等）の間の凝縮器１２の温度の変化状況が指定の閾値を超えたか否か判断する。前述した如く、端末側制御装置４は常時凝縮器温度センサ２７が検出する凝縮器１２の温度を監視している。そして、検出した凝縮器１２の温度を一定期間Ｃの間保存して履歴を作成し、この履歴から一定期間Ｃ内にどの程度凝縮器１２の温度が上昇したかについての温度変化の状況を判断している。
【００４４】
そして、一定期間Ｃ（三ヶ月）の間に上昇した温度差（温度変化の状況）が指定の閾値を超えた場合、端末側制御装置４はステップＳ２１に進んで凝縮器１２の目詰まり故障が発生する時期を予測し、ステップＳ２２で今度はメンテナンス会社パソコン８に予測した故障発生時期を通報する。
【００４５】
前述した如く定期的な凝縮器フィルタ２３の清掃が行われたとしても、凝縮器フィルタ２３にて捕獲できなかった外気中の塵埃は凝縮器１２に徐々に付着していく。それにより凝縮器１２自体が汚れていくと、凝縮器１２の通風性能が悪化し、凝縮器１２の温度は徐々に上昇していって、やがてはショーケース３の冷媒回路Ｒが重篤な故障に至ることになる。
【００４６】
そこで、端末側制御装置４は、ステップＳ２０で上記一定期間Ｃ（三ヶ月）の間の凝縮器１２の温度変化の状況（温度差）が前記閾値を超えた場合、ステップＳ２１で当該超えた時点における温度上昇の傾きに応じて係る状態に至る時期を予測する。具体的には前記閾値を超えた時点における凝縮器１２の温度上昇の傾きが急峻な場合にはその後、早期に故障が発生し、傾きが緩慢な場合には比較的長い期間をおいて故障が発生すると予測する。但し、ショーケース３側に凝縮器１２の温度に影響する他のエラー（例えば、凝縮器用送風機１５の異常等）が発生していないことが条件とされ、係るエラーが発生している場合には上記故障発生時期の予測は行わない。また、凝縮器１２の温度上昇の傾きが急峻であるか緩慢であるかの判断の基準となる傾きの閾値は、集中コントローラ６が検出している店舗２内の温度・湿度を取得し、それらを考慮（加味）して端末側制御装置４が演算する。
【００４７】
メンテナンス会社では係る店舗２のショーケース３の端末側制御装置４からの故障発生時期に関する予測情報に基づき、サービスマンが行う定期的なメンテナンスの際に凝縮器１２自体の清掃を行うことになる。
【００４８】
以上の如く本発明では、ショーケース３に凝縮器フィルタ２３の清掃実施の有無を検出可能なプッシュスイッチ２６（検出器）と、端末側制御装置４を設け、この端末側制御装置４が、プッシュスイッチ２６の出力に基づき、一定期間凝縮器フィルタ２３の清掃が実施されていないと判断した場合、集中コントローラ６等に対して所定の通報動作を実行するようにしたので、一定期間凝縮器フィルタ２３の清掃が行われなかったときには、コールセンター等からの通報により店舗側で清掃を行わせることができるようになる。
【００４９】
これにより、ショーケース３が重篤な故障に至る不都合を未然に回避することができるようになり、信頼性の向上を図ることができるようになる。また、コールセンター等への緊急のメンテナンスコールも解消、若しくは、低減することができるようになるので、メンテナンスコストの削減も図ることが可能となる。
【００５０】
更に、凝縮器フィルタ２３が目詰まりした状態での運転継続を回避することができるようになるので、ショーケース３の冷却性能の悪化と消費電力の増加を未然に回避し、商品が劣化する不都合も防止して良好な商品陳列販売を実現することができるようになる。
【００５１】
この場合、ショーケース３が本体１６に設けられて凝縮器フィルタ２３の清掃時に操作される部材（実施例ではキックプレート２１）を有し、検出器（実施例ではプッシュスイッチ２６）が、この部材の操作の有無を検出するようにしているので、凝縮器フィルタ２３の清掃実施の有無を円滑に検出することができるようになる。
【００５２】
特に、実施例の如くショーケース３が、本体１６の下部に構成されて凝縮器１２及び凝縮器フィルタ２３が設置された機械室１９と、本体１６に設けられて凝縮器フィルタ２３の清掃時に開閉されるキックプレート２１（上記部材）を有しているとき、上記検出器をキックプレート２１の開閉を検出する機械式のプッシュスイッチ２６から構成しているので、比較的簡単な構成にて確実に凝縮器フィルタ２３の清掃実施の有無を検出することができるようになる。
【００５３】
そして、端末側制御装置４が、プッシュスイッチ２６の出力に基づいて凝縮器フィルタ２３の清掃が実施されたものと判断した後、一定期間Ｂの間に凝縮器１２自体の清掃の必要性を判断すると共に、当該凝縮器１２自体の清掃が必要と判断した場合、集中コントローラ６やコールセンター等に所定の通報動作を実行するようにしているので、凝縮器フィルタ２３の清掃では解決できない凝縮器１２自体の汚れによる目詰まりについても的確に通報し、ショーケース３が重篤な故障に至る不都合を未然に回避することができるようになる。
【００５４】
この場合、端末側制御装置４は凝縮器フィルタ２３の清掃後の凝縮器１２の温度に基づいて当該凝縮器１２自体の清掃の必要性を判断するようにしているので、凝縮器１２自体の汚れによる目詰まりを的確に判断して通報することが可能となる。
【００５５】
更に、端末側制御装置４は、所定の長期間（実施例では三ヶ月の一定期間Ｃ）、凝縮器１２の温度を監視し、当該期間中における凝縮器１２の温度変化の状況に基づき、当該凝縮器１２の目詰まり故障発生時期を予測してメンテナンス会社に所定の通報動作を実行するようにしているので、ショーケース３が重篤な故障に至る前に、凝縮器１２自体が汚れにより目詰まりする時期を予測して、サービスマンによる定期的なメンテナンスの際等に適切に対処させることが可能となる。
【００５６】
尚、実施例では凝縮器フィルタ２３の清掃実施の有無判断や凝縮器１２の温度の判断をショーケース３の端末側制御装置４で行い、集中コントローラ６等への通報動作を実行するようにしたが、それに限らず、端末側制御装置４からプッシュスイッチ２６の接点の開閉（出力）に関するデータや凝縮器温度センサ２７が検出した凝縮器１２の温度に関するデータを集中コントローラ６やコールセンターパソコン７、メンテナンス会社パソコン８（集中コントローラ６経由）に送信し、集中コントローラ６で上記（３）の判断を行って当該集中コントローラ６からコールセンターパソコン７やメンテナンス会社パソコン８に通報動作を行い、或いは、コールセンターパソコン７、メンテナンス会社パソコン８で上記（３）の判断を行って通報動作を行わせ、コールセンターやメンテナンス会社側から店舗２側に通報（電話やメールで連絡）するようにしてもよい。
【００５７】
また、実施例ではキックプレート２１の開閉を検出する検出器を機械式のプッシュスイッチ２６から構成したが、請求項３以外の発明ではキックプレート２１の開閉を検出する検出器はそれに限られるものでは無く、例えばキックプレート２１側に設けられた磁石と本体１６側に設けられたリードスイッチを用いてキックプレート２１の開閉を検出する検出器を構成してもよく、その他のセンサ（例えば、光センサ等）を用いてキックプレート２１の開閉を検出する検出器を構成してもよい。
【００５８】
また、上記実施例で示した数値や期間はそれに限られるものでは無く、管理システムが適用される店舗等の状況に応じて適宜設定されるものである。更に、ショーケース３についても実施例の平型オープンショーケースに限らず、縦型のオープンショーケースやガラス扉付きのショーケース等についても本発明は有効である。
【符号の説明】
【００５９】
１  ショーケースの管理システム
２  店舗
３  ショーケース
４  端末側制御装置
６  集中コントローラ（上位制御装置）
７  コールセンターパソコン（上位制御装置）
８  メンテナンス会社パソコン（上位制御装置）
１１  圧縮機
１２  凝縮器
１６  本体
２１  キックプレート（部材）
２３  凝縮器フィルタ
２６  プッシュスイッチ（検出器）
２７  凝縮器温度センサ
Ｒ  冷媒回路
【図１】
2018091591.tif 000003
【図２】
2018091591.tif 000004
【図３】
2018091591.tif 000005
【図４】
2018091591.tif 000006
【図５】
2018091591.tif 000007
【図６】
2018091591.tif 000008
【図７】
2018091591.tif 000009